(57)【要約】【課題】反覆使用可能であり、しかも、好みの茶葉、ハーブなどを使用でき、さらに使用分量も判断できるようにした自然環境にも配慮したペットボトル用濾過器付き茶葉入れ容器の提供。【解決手段】水などの飲料水を充填したペットボトル８に、各種茶、ハーブなどを入れて濾し乍ら飲用できるペットボトル用濾過器付き茶葉入れ容器であって、茶、ハーブなどを収容する透明容器本体１の開口部に、開閉蓋４を設け、この開閉蓋４の上部にペットボトル８の開口部と係止できる鍔部９と、ペットボトル８内に挿入できる前記鍔部９の下部に突設した濾過構成の筒部１０とより成る濾過器６を収容できる濾過器用容器５とを備えて成ることを特徴とするペットボトル用濾過器付き茶葉入れ容器。【選択図】図１
2007118989.tif 000002
【特許請求の範囲】
【請求項１】
水などの飲料水を充填したペットボトルに、各種茶、ハーブなどを入れて濾し乍ら飲用できるペットボトル用濾過器付き茶葉入れ容器であって、茶、ハーブなどを収容する透明容器本体の開口部に、開閉蓋を設け、この開閉蓋の上部にペットボトルの開口部と係止できる鍔部と、ペットボトル内に挿入できる前記鍔部の下部に突設した濾過構成の筒部とより成る濾過器を収容できる濾過器用容器とを備えて成ることを特徴とするペットボトル用濾過器付き茶葉入れ容器。
【請求項２】
請求項１記載のペットボトル用濾過器付き茶葉入れ容器において、透明容器本体には、１回分毎の目盛を設け、茶，葉の使用量を目視できるようにしたことを特徴とするペットボトル用濾過器付き茶葉入れ容器。
【請求項３】
請求項１記載のペットボトル用濾過器付き茶葉入れ容器において、開閉蓋の上部に設けられる濾過器用容器は、開閉蓋と固定ないしは着脱自在として形成して成ることを特徴とするペットボトル用濾過器付き茶葉入れ容器。
【発明の詳細な説明】
【技術分野】
【０００１】
本発明は、既存のペットボトルに入れて好みのティやハーブティを飲用できるペットボトル用濾過器付き茶葉入れ容器に関する。
【背景技術】
【０００２】
各種、飲料用の液体を充填したペットボトルが販売されている。殊に、水を充填したペットボトルは、世界各地の銘水が充填されており、人気が高い。この水を充填したペットボトルに対して、水出し用紅茶や日本茶を、葉毎ボトル内に入れ、アイスティーとかグリーンティーとして飲用することができる。
【０００３】
然し乍ら、飲用に際し、葉が水と共に口の中に入り、葉を除き乍ら飲む必要があった。
【０００４】
この不都合を解決するために、ペットボトルの開口部に濾過体を装着して飲み易くした器具や、器具を容器状に形成してティーバッグを入れて置くようにしたものも知られている（例えば、特許文献１参照。）。
【特許文献１】実用新案登録第３０８３３６８号公報
【発明の開示】
【発明が解決しようとする課題】
【０００５】
しかし乍ら、特許文献１にあっては、ティーバッグを入れた濾過兼容器は、唯一回しか使えず、きわめて不経済である。さらに、この特許文献１では、濾過兼容器は全体が紙製であるため、使用後のペットボトルにこの紙製の濾過兼容器が付いた儘廃棄されると、ゴミの分別回収の際、ペットボトルと紙製濾過兼容器をその都度分別しなければならないという社会上の問題も生ずる。
【０００６】
本発明は叙上の点に着目して成されたもので、反覆使用可能であり、しかも、好みの茶葉、ハーブなどを使用でき、さらに使用分量も判断できるようにした自然環境にも配慮したペットボトル用濾過器付き茶葉入れ容器を提供することを目的とする。
【課題を解決するための手段】
【０００７】
本発明は、以下の構成を備えることにより、上記課題を解決することができる。
【０００８】
（１）水などの飲料水を充填したペットボトルに、各種茶、ハーブなどを入れて濾し乍ら飲用できるペットボトル用濾過器付き茶葉入れ容器であって、茶、ハーブなどを収容する透明容器本体の開口部に、開閉蓋を設け、この開閉蓋の上部にペットボトルの開口部と係止できる鍔部と、ペットボトル内に挿入できる前記鍔部の下部に突設した濾過構成の筒部とより成る濾過器を収容できる濾過器用容器とを備えて成ることを特徴とするペットボトル用濾過器付き茶葉入れ容器。
【０００９】
（２）前記（１）において、透明容器本体には、１回分毎の目盛を設け、茶，葉の使用量を目視できるようにしたことを特徴とするペットボトル用濾過器付き茶葉入れ容器。
【００１０】
（３）前記（１）において、開閉蓋の上部に設けられる濾過器用容器は、開閉蓋と固定ないしは着脱自在として形成して成ることを特徴とするペットボトル用濾過器付き茶葉入れ容器。
【発明の効果】
【００１１】
本発明によれば、透明容器本体の開口部内に予め自分の好みの茶、ハーブなど、それぞれ異なる透明容器本体内に必要量、例えば、５回分量程度入れて携行できるカバン、バッグなどに入れて置くことができる。
【００１２】
ペットボトルが水の場合でも、他の飲料液体でも差支えなく、このペットボトル内に開閉蓋を開けて透明容器本体内の茶，葉を適当な分量分を充填し、取り出した濾過器をペットボトルの開口部に鍔部を載置させて濾過構成の筒部をペットボトル内に臨ませて置く。茶，葉のエキス分が水などの液体分に浸出する頃合をはかって、その儘飲用すれば、エキス浸出で膨張した茶，葉は飲用の際濾過器で濾過されて口に入らず、液体だけを飲用できる。
【００１３】
途中で飲用を休止する時は、ペットボトルの蓋を閉じれば、内容液が封止され、こぼれる虞はない。
【００１４】
このようにして、ボトル内の液体の飲用が終了した時、ボトル開口部に載置させてあった濾過器を取り出し透明容器本体の蓋に設けられる濾過器用容器内に入れ替えて、次回の反覆使用を可能にする。この場合、清潔のため、濾過器は水洗して置くのが好ましい。
【００１５】
したがって、透明容器本体内の未使用の茶，葉は、開閉蓋で濾過器とは完全に遮断されているので濡れる虞はなく、反覆使用に際しても常に乾燥した新鮮状態を保持できる。
【発明を実施するための最良の形態】
【００１６】
以下に、この発明の実施例を説明する。
【実施例】
【００１７】
１は円筒状の透明容器本体で、必要な茶，ハーブなど好みのものを多数回に亘る分量収容できる。２は１回分毎の使用量の表示部と目盛、３は開口部でねじ構成の開閉蓋４を備える。なお、透明容器本体１の裏面には、収容した茶，ハーブの種類（名称）を書くことができる名札部を形成できる（図示せず）。
【００１８】
５は開閉蓋４の上面に設けられる濾過器用容器であって、開閉蓋４とは、螺合，嵌着などの着脱構成としても良く、また開閉蓋４と濾過器用容器５と一体構造であっても良い。但し、一体構造の場合は、濾過器６を出し入れするために濾過器用容器５に開閉自在の蓋（図示せず）を設ける必要がある。着脱構成の場合は、着脱部を濾過器６の出し入れ口として用いればよい。なお、開閉蓋４ａは、図４のように上下部に螺合部を設けて濾過器用容器５の開口部と螺合させても良い。
【００１９】
図１では、濾過器用容器５の開口部を嵌合用鍔７とし、鍔７自体の張力を利用して開閉蓋４の外周に嵌合係止できるようにしてある。そしてこの嵌合用鍔７を開口部として、濾過器６を収容できるものである。
【００２０】
濾過器６は、ペットボトル８の開口端に載置できる鍔部９と、この鍔部９の下部に突設される濾過構成、例えばメッシュ孔、樹脂成形孔など、ペットボトル８内の水などの液体に浸出して膨出した茶，葉の流入通過を防ぐ大きさの孔を穿った筒部１０とで構成されている。
【００２１】
全体を、図３に示すように合成樹脂などで形成できる。また、筒部１０は金属メッシュとしても形成できる。
【００２２】
以上の構成より成るから、予め透明容器本体１を、１ないし数本用意し、それぞれの透明容器本体１内に自分の好みの茶，ハーブを必要量充填して携行可能とする。
【００２３】
水出し可能の茶，ハーブであるので、例えば、銘水の入ったペットボトル８を購入し、蓋を開けて特定の透明容器本体１内の茶やハーブを選び、開閉蓋４を外し、内部の茶やハーブをペットボトル８内に適量入れる。透明容器本体１の外表面には使用量を示す表示部と目盛があるので、その表示部で加える量を確認できる。
【００２４】
つぎに、濾過器用容器５から濾過器６を取り出し、ペットボトル８の開口部に鍔部９を載置し、濾過機構を有する筒部１０をペットボトル８の内部に向ける。
【００２５】
茶やハーブが十分水出しできた頃合を見て、ペットボトル８の開口端より口を当てて飲用することができる。
【００２６】
濾過器６により、ペットボトル８内の水に混入した茶やハーブは、筒部１０の濾過機能により、筒部１０より侵入せず、専ら養分を浸出させた水分が飲用に供されて円滑に飲用できる。
【００２７】
ペットボトル８に残った飲料は、そのペットボトル８の蓋を用いて閉じれば、その儘、持ち運びできる。
【００２８】
また、１回分の茶，ハーブの取出しが終わった透明容器本体１は、開閉蓋４で開口部を閉止して密封して置くことができる。
【００２９】
ペットボトル８内の水を飲み干した場合には、濾過器６はこれを取り外し、透明容器本体１に設けた濾過器用容器５に収容して反覆使用するために保存する。使用後なので洗滌することが好ましいが、自分用であるため、水分を除去した後は、その儘収容しても差支えない。
【００３０】
いずれにしても、透明容器本体１と濾過器用容器５とは、開閉蓋４で完全に区割、区別されているので、透明容器本体１内の残りの茶，ハーブなどには、外気は密閉されて侵入せず、新鮮な状態で保存される。
【００３１】
このようにして、ペットボトル８が新しいものに変わる度毎に、反覆して同様の作用を繰り返して、茶，ハーブの入った好みの水や、その他の飲物を飲むことができる。
【図面の簡単な説明】
【００３２】
【図１】本発明に係る一実施例の要部の縦断正面図
【図２】ペットボトルに使用状態の要部の断面図
【図３】合成樹脂などにより一体成形して示す濾過器の側面図
【図４】本発明に係る他の実施例を示す要部の縦断正面図
【符号の説明】
【００３３】
１  透明容器本体
２  目盛
４、４ａ  開閉蓋
５  濾過器用容器
６  濾過器
８  ペットボトル
【図１】
2007118989.tif 000003
【図２】
2007118989.tif 000004
【図３】
2007118989.tif 000005
【図４】
2007118989.tif 000006